(57)【要約】【課題】  筐体の内部にアンテナを設ける場合であってもコンパクトにすることができる無線通信端末を提供する。【解決手段】  基準電位パターン３２が設けられ、電子部品が配置される第１回路基板２２と、前記第１回路基板２２上に取り付けられ、当該取り付けた状態にて前記基準電位パターン３２と導通すると共に前記電子部品を覆う導電部３８と、導電性を有しない非導電部４０とを含んで構成されるケース体２４と、前記第１回路基板２２及び前記ケース体２４を内部に収納する筐体８とを備え、前記非導電部４０に、前記導電部３８とは絶縁され、前記第１回路基板２２から給電されるアンテナ５０が形成されるようにした。【選択図】      図２
2007124307.tif 000002
【特許請求の範囲】
【請求項１】
基準電位パターンが設けられ、電子部品が配置される第１回路基板と、
前記第１回路基板上に取り付けられ、当該取り付けた状態にて前記基準電位パターンと導通すると共に前記電子部品を覆う導電部と、導電性を有しない非導電部とを含んで構成されるケース体と、
前記第１回路基板及び前記ケース体を内部に収納する筐体とを備え、
前記非導電部に、前記導電部とは絶縁され、前記第１回路基板から給電されるアンテナが形成されることを特徴とする無線通信端末。
【請求項２】
前記第１回路基板は、前記非導電部に対向する領域内に前記アンテナに当接する給電端子を有することを特徴とする請求項１に記載の無線通信端末。
【請求項３】
前記第１回路基板における前記給電端子側の面とは反対側の面上の前記給電端子に対応する位置に、前記アンテナの整合回路部を設けたことを特徴とする請求項２に記載の無線通信端末。
【請求項４】
前記導電部は、
前記第１回路基板に平行である導電平板部と、
前記導電平板部に前記第１回路基板側に立設されて、前記基準電位パターンと当接し、第１回路基板上の前記電子部品が配置される領域の一部及び／又は全部を囲む導電リブとを有し、
前記非導電部は、
前記第１回路基板に平行であると共に、第１回路基板とは反対側の面が、前記導電平板部における第１回路基板とは反対側の面と互いに同一平面内で隣合う非導電平板部と、
前記非導電平板部に前記導電リブと同じ高さで前記第１回路基板側に立設される非導電リブとを有することを特徴とする請求項１ないし３のいずれか一に記載の無線通信端末。
【請求項５】
キースイッチを有し、前記導電平板部及び前記非導電平板部の前記第１回路基板とは反対側の面上に配される第２回路基板を備えることを特徴とする請求項４に記載の無線通信端末。
【請求項６】
前記アンテナは、前記非導電平板部における前記第１回路基板側の面と、前記非導電平板部の前記第１回路基板側に立設された前記非導電リブの内側の面の両方にわたって形成されることを特徴とする請求項４又は５に記載の無線通信端末。
【請求項７】
前記非導電部と前記導電部は、互いに係合する別部材として構成されるか、又は互いに一体として構成されることを特徴とする請求項１ないし６のいずれか一に記載の無線通信端末。
【請求項８】
前記ケース体は、その芯部材が非導電性であって、
前記導電部は、前記芯部材の非導電部とする部分を除く部分の表面上に導電層が形成されることにより構成され、
前記アンテナは、前記非導電部の前記芯部材の表面上に、所定の平面形状で形成した導電層で構成されることを特徴とする請求項１ないし６のいずれか一に記載の無線通信端末。
【発明の詳細な説明】
【技術分野】
【０００１】
本発明は、筐体の内部にアンテナが設けられている無線通信端末に関するものである。
【背景技術】
【０００２】
従来の携帯電話機等の無線通信端末には、ユーザーがこの無線通信端末に搭載されている伸縮式のアンテナをその長さ方向外側に引伸ばしてから、通話等の通信を行なうようになっているものがあった。
【０００３】
しかしながら、このような伸縮式のアンテナは、それを外側に引伸ばした分だけ無線通信端末の長さ寸法が大きくなるため、無線通信端末のコンパクト化の障害となっていた。このため、このような外側に伸びるアンテナの代わりに、筐体の内部に内蔵型のアンテナを設けて、通信時にもコンパクトな状態を維持することができるようにした無線通信端末が従来からあった（例えば、特許文献１及び２参照）。
【０００４】
この特許文献１及び２に係る無線通信端末の筐体は、上側ケース（フロントケース）と下側ケース（リヤケース）が、内部に空間を有するように組合されて構成されており、内蔵型のアンテナは、下側ケースの内壁面に固定されている。また、筐体の内部には回路基板が収納されており、この回路基板には、その下側ケース側の面を覆うシールドケースが取付けられ、回路基板上の電子部品等に外部からの電磁ノイズ等が作用するのを防ぐようになっていた。
【０００５】
また、上記特許文献１及び２に係る無線通信端末とは異なる他の無線通信端末として、例えば特願２００５−０５１７６９号のように、筐体の下側ケースの内壁面と回路基板との間隔が狭くなっているために、内蔵型のアンテナが回路基板上に設けられ、シールドケースが回路基板に対して、筐体の上側ケース側から取付けられているものがあった。
【特許文献１】特開平１１−３１２９１２号公報
【特許文献２】特開平１０−１６３７４８号公報
【発明の開示】
【発明が解決しようとする課題】
【０００６】
しかしながら、前記特願２００５−０５１７６９号に係る無線通信端末は、アンテナの利得の劣化防止のために、アンテナを回路基板上においてそのグランド（基準電位が導通する金属部分）から離して配置する必要があるので、このアンテナとグランドとの間の距離を確保するために、回路基板をコンパクト化することができず、ひいては無線通信端末のコンパクト化の障害になるという問題があった。
【０００７】
そこで本発明は、上記問題点に鑑みて、筐体の内部にアンテナを設ける場合であってもコンパクトにすることができる無線通信端末を提供することを課題とするものである。
【課題を解決するための手段】
【０００８】
上記課題を解決するために、本発明の無線通信端末は、
基準電位パターンが設けられ、電子部品が配置される第１回路基板と、
前記第１回路基板上に取り付けられ、当該取り付けた状態にて前記基準電位パターンと導通すると共に前記電子部品を覆う導電部と、導電性を有しない非導電部とを含んで構成されるケース体と、
前記第１回路基板及び前記ケース体を内部に収納する筐体とを備え、
前記非導電部に、前記導電部とは絶縁され、前記第１回路基板から給電されるアンテナが形成されることを特徴とするものである。
【０００９】
また、本発明による無線通信端末は、前記第１回路基板は、前記非導電部に対向する領域内に前記アンテナに当接する給電端子を有することを特徴とするものである。
【００１０】
また、本発明による無線通信端末は、前記第１回路基板における前記給電端子側の面とは反対側の面上の前記給電端子に対応する位置に、前記アンテナの整合回路部を設けたことを特徴とするものである。
【００１１】
また、本発明による無線通信端末は、
前記導電部は、
前記第１回路基板に平行である導電平板部と、
前記導電平板部に前記第１回路基板側に立設されて、前記基準電位パターンと当接し、第１回路基板上の前記電子部品が配置される領域の一部及び／又は全部を囲む導電リブとを有し、
前記非導電部は、
前記第１回路基板に平行であると共に、第１回路基板とは反対側の面が、前記導電平板部における第１回路基板とは反対側の面と互いに同一平面内で隣合う非導電平板部と、
前記非導電平板部に前記導電リブと同じ高さで前記第１回路基板側に立設される非導電リブとを有することを特徴とするものである。
【００１２】
また、本発明による無線通信端末は、キースイッチを有し、前記導電平板部及び前記非導電平板部の前記第１回路基板とは反対側の面上に配される第２回路基板を備えることを特徴とするものである。
【００１３】
また、上記課題を解決するために本発明は、前記アンテナは、前記非導電平板部における前記第１回路基板側の面と、前記非導電平板部の前記第１回路基板側に立設された前記非導電リブの内側の面の両方にわたって形成されることを特徴とするものである。
【００１４】
また、上記課題を解決するために本発明は、前記非導電部と前記導電部は、互いに係合する別部材として構成されるか、又は互いに一体として構成されることを特徴とするものである。
【００１５】
また、上記課題を解決するために本発明は、
前記ケース体は、その芯部材が非導電性であって、
前記導電部は、前記芯部材の非導電部とする部分を除く部分の表面上に導電層が形成されることにより構成され、
前記アンテナは、前記非導電部の前記芯部材の表面上に、所定の平面形状で形成した導電層で構成されることを特徴とすることを特徴とするものである。
【発明の効果】
【００１６】
このような本発明の無線通信端末によれば、その筐体の内部にアンテナを設ける場合であっても無線通信端末をコンパクトにすることができる。
【発明を実施するための最良の形態】
【００１７】
以下、本発明に係る無線通信端末の実施の形態について、図面に基づいて具体的に説明する。
図１ないし図４は、本発明の第１の実施の形態に係る折畳み型携帯電話機２（無線通信端末に相当）について説明するために参照する図である。
【００１８】
図１に示すように、本実施の形態に係る折畳み型携帯電話機２は、ヒンジ４を介して回動自在に連結される第１筐体６と第２筐体８とを備えている。第１筐体６は、表示部１０及びスピーカー１２を有しており、スピーカー１２は第１筐体６の長さ方向におけるヒンジ４とは反対側の端部寄りの位置に配置されている。また、第２筐体８は操作部１４及びマイクロホン１６を有しており、マイクロホン１６は第２筐体８の長さ方向におけるヒンジ４とは反対側の端部寄りの位置に配置されている。
【００１９】
第２筐体８は、操作部１４を有する上側ケース１８と、その裏側の下側ケース２０を備えて構成されている。図２に示すように、この上側ケース１８と下側ケース２０の間に形成される内部の空間には、下側ケース２０側から順に、リジッド基板２２（第１回路基板に相当）、ケース体２４、キーＦＰＣ（フレキシブル基板）２８（第２回路基板に相当）、及びキーシート３０が収納されている。
【００２０】
リジッド基板２２には、その上側ケース１８側の第１面２２ａ、及びこの第１面２２ａとは反対側の第２面２２ｂに、図示しない各種の電子部品が配置されている。また、リジッド基板２２には、図３に示すように、第１面２２ａ上に基準電位パターン３２が印刷されている。
【００２１】
リジッド基板２２は、第１面２２ａ上におけるヒンジ４側の一方の隅部の領域Ｓ（図３中、寸法Ｌｂ及び寸法Ｗｂで示す領域）が、後述する非導電部４０に対向しており、この領域Ｓ内には、後述するアンテナ５０に当接して給電を行なう、板ばね式の２つの端子３４が設けられている。
【００２２】
この領域Ｓ上において、基準電位パターン３２は形成されないようになっており、また、各端子３４に接続する不図示の配線パターンを除いて、端子３４以外の不図示の電子部品等に接続する配線パターンは、極力領域Ｓ内を通らないようになっている。
【００２３】
また、このリジッド基板２２は、図示しないが、第１面２２ａとは反対側の第２面２２ｂ上においても、領域Ｓ内には基準電位パターンは形成されておらず、配線パターンも極力通らないようになっている。リジッド基板２２が多層基板である場合には、その内部層も同様である。
【００２４】
また、リジッド基板２２には、図２及び図３に示すように、端子３４に対応する第２面２２ｂ上の位置に、アンテナ整合回路部３６が設けられている。このアンテナ整合回路部３６は、インピーダンスを調整して共振周波数を希望する周波数に合致させるよう機能するものである。
【００２５】
次に、図２及び図４に示すように、ケース体２４は、互いに係合する導電部３８と非導電部４０を備えて構成されている。非導電部４０は、図４に示すように、その平面形状が略矩形状に形成されている。この非導電部４０の平面形状は、対向するリジッド基板２２上の領域Ｓ（図３参照）よりも広くなっており、ケース体２４をリジッド基板２２上に取付けた状態では、領域Ｓは非導電部４０だけで覆われる。
【００２６】
また、図４に示す導電部３８は、平面形状が略矩形であって、そのヒンジ４側の一方の隅部が、非導電部４０の平面形状に相当する形状で切取られたような形状に形成されている。これにより、ケース体２４は、導電部３８と非導電部４０が互いに係合した状態において、その全体の平面形状が略矩形状になるように構成されている。
【００２７】
導電部３８は、図２及び図４に示すように、その平面方向に平行の導電平板部４２と、この導電平板部４２に一体的に立設されて、リジッド基板２２側（図４中、紙面に直角方向の手前側）に高さを有する導電リブ４４とを有している。この導電リブ４４は、リジッド基板２２の第１面２２ａ上に実装される電子部品の高さよりも、充分高く形成されている。
【００２８】
導電リブ４４は、導電平板部４２の縁部の全周、及び内側の所定の位置に形成されて、導電平板部４２の平面形状を複数の領域に仕切るようになっている。この導電リブ４４で仕切られた、導電平板部４２上の各領域の平面形状は、図３に示すリジッド基板２２の面２２ａ上における、基準電位パターン３２で仕切られる各領域の平面形状と、互いに対向した状態で同様の形状をなすように形成されている。
【００２９】
また、図４に示す導電部３８には、その芯材として硬質で非導電性の合成樹脂材が用いられており、芯材の表側及び裏側の表面の全域に蒸着法等による金属質の導電層が形成されている。当然、この導電層は、メッキやスパッタリングにより形成されてもかまわない。
【００３０】
また、非導電部４０は、その平面方向に平行の非導電平板部４６と、この非導電平板部４６の縁部の全周に、リジッド基板２２側（図中、紙面に直角方向の手前側）に立設される非導電リブ４８とを有している。
【００３１】
そして、非導電部４０の非導電リブ４８であって、導電部３８に隣接する２つの辺の上に形成された長さ部分には、その中間位置に凹形状の被係合部４８ａが形成されている。また、導電部３８の導電リブ４４であって、この導電部３８の平面形状における外形上の、非導電部４０に隣接する２つの辺の上に形成された長さ部分には、その中間位置に凸形状の係合部４４ａが形成されている。導電部３８と非導電部４０は、その係合部４４ａと被係合部４８ａとが互いに係合することにより、一体的に組合わされて固定されるようになっている。
【００３２】
また、非導電部４０は、図２に示すように、導電部３８と互いに係合した状態で、非導電平板部４６の上側ケース１８側の面４６ａが、導電部３８における導電平板部４２の同じく上側ケース１８側の面４２ａと、同一平面内で互いに隣接するようになっている。また、非導電部４０の非導電リブ４８は、導電部３８の導電リブ４４の高さ寸法と同じ高さ寸法を有している。
【００３３】
また、非導電部４０の非導電平板部４６における面４６ａとは反対側の面４６ｂ上には、図４に示すように、蒸着法等により形成された金属質の層状のアンテナ５０が形成されている。このアンテナ５０は、帯状に面４６ｂの周縁に沿って折曲げられて形成されており、その長さ両端部に拡幅部５０ａを有している。また、アンテナ５０は、非導電部４０が導電部３８と互いに係合した状態でも、導電部３８には接触しないため、導電部３８とは電気的に絶縁されるようになっている。
【００３４】
ケース体２４は、図２に示すように、導電部３８と非導電部４０が互いに係合した状態で、導電リブ４４及び非導電リブ４８の各々の高さ方向の端面がリジッド基板２２の第１面２２ａに当接するように、このリジッド基板２２に取付けられる。そして、リジッド基板２２にケース体２４が取付けられた状態において、不図示の雄ネジが、図４に示す導電部３８の略中央の位置に設けられた孔Ｍと、この孔Ｍと同軸線上に配置されるよう設けられた、図３に示すリジッド基板２２の孔ｍとを通って、図２に示す下側ケース２０の底壁の内側面に設けられた不図示の雌ネジに締付けられるようになっているため、不図示の雄ネジの締め付け力により、リジッド基板２２とケース体２４との接触部分の間には、リジッド基板２２の厚さ方向に押圧力が作用するようになっている。
【００３５】
ケース体２４をリジッド基板２２に取付けた状態において、ケース体２４の導電部３８は、図３に示すリジッド基板２２の第１面２２ａ上における、電子部品等（不図示）が配置される領域（図中、領域Ｓを除く領域のほぼ全部）を覆うようになっている。
【００３６】
また、導電部３８の導電リブ４４は、図４に示すように、この導電部３８の平面形状を仕切るように形成されているため、結局、リジッド基板２２上の電子部品等（不図示）が配置される領域を複数に仕切ると共に、複数に仕切った各領域をも囲むようになっている。
【００３７】
また、導電部３８は、その導電リブ４４が、リジッド基板２２の第１面２２ａ上の基準電位パターン３２に接触するため、導電部３８の表面の導電層は、基準電位パターン３２と導通して同じ大きさの電位を有するようになる。これにより、導電部３８は、シールドケースとして機能するようになっている。
【００３８】
また、図３に示すリジッド基板２２の基準電位パターン３２上には、図示しないタブ（小型のばね端子）が配設されている。そして、上述したように、図４に示す導電部３８の孔Ｍ、及び図３に示すリジッド基板２２の孔ｍを通って下側ケース２０に締付けられる、不図示の雄ネジの締め付け力により、ケース体２４の導電部３８と、リジッド基板２２との間には、押圧力が作用するので、リジッド基板２２における基準電位パターン３２上の不図示のタブは、導電部３８に圧接して確実に導通するようになるため、導電部３８の表面の導電層は、確実に基準電位パターン３２と同じ大きさの電位を有するようになる。これにより、導電部３８は、確実にシールドケースとして機能するようになっている。
【００３９】
導電部３８はシールドケースとして、外部からのノイズがリジッド基板２２の第１面２２ａ上の図示しない複数の電子部品に作用するのを防いでおり、また、この図示しない複数の電子部品のそれぞれから生じるノイズが、導電リブ４４で仕切られた領域ごとに互いに作用したりアンテナ５０に回り込んだりするのを防いでいる。
【００４０】
例えば、導電部３８は、図２に示すリジッド基板２２の第１面２２ａ上に配置される不図示の、無線周波数を生成するＲＦ（Ｒａｄｉｏ  Ｆｒｅｑｕｅｎｃｙ）モジュールなどの高周波回路から放出されるノイズを吸収して、同じくリジッド基板２２の第１面２２ａ上に配置される不図示のベースバンドチップセットなどに作用するのを防ぐようになっている。
【００４１】
また、ケース体２４をリジッド基板２２に取付けた状態において、リジッド基板２２の２つの端子３４の各々は、図４に示す非導電部４０における非導電平板部４６上のアンテナ５０の拡幅部５０ａに当接して、給電するようになっている。
【００４２】
次に、図２に示すように、ケース体２４に対してリジッド基板２２側と反対側の位置には、後述するキーＦＰＣ２８を挟んでキーシート３０が、ケース体２４における導電部３８の導電平板部４２、及び非導電部４０の導電平板部４６に平行に配置されている。キーシート３０は、シリコンゴム製のシート７８上に複数のキートップ８０が貼付けられて構成されている。
【００４３】
また、図１に示すように、第２筐体８の上側ケース１８には、第１筐体６と第２筐体８を互いに折畳んだときに表示部１０の表示面と対向する操作面８１に、複数のキー孔８２が形成されている。各キー孔８２からは、キーシート３０のキートップ８０のそれぞれにおける、手の指等を接触させるための押圧面が外部に露出する。そして、このキートップ８０の押圧面に手の指等が接触して押されると、その裏面が対応する後述のキースイッチ８４を押圧するようになっている。
【００４４】
また、図２に示すように、ケース体２４における導電部３８の導電平板部４２、及び非導電部４０の導電平板部４６と、キーシート３０との間には、キーＦＰＣ２８が挟まれて配置される。キーＦＰＣ２８は、その上側ケース１８側の第１面２８ａに複数のキースイッチ８４を有しており、この第１面２８ａとは反対側の第２面２８ｂが、ケース体２４における導電部３８の導電平板部４２、及び非導電部４０の導電平板部４６の上に載置される。
【００４５】
キーＦＰＣ２８のキースイッチ８４は、立体的に椀状に湾曲して形成された金属板のメタルドーム８６を有する構造になっている。メタルドーム８６は、その椀状の形状の頂点が押圧されると、キーＦＰＣ２８上に印刷された図示しない電気回路のスイッチ端子に接触して、電気導通するようになっている
【００４６】
このような本実施の形態に係る折畳み型携帯電話機２によれば、リジッド基板２２の基準電位パターン３２から離れた位置にある、ケース体２４の非導電部４０の非導電平板部４６の内側の面４６ｂにアンテナ５０を形成したので、リジッド基板２２上の領域Ｓ（図３参照）を小さくして、リジッド基板２２をコンパクトにすることができ、ひいては折畳み型携帯電話機２全体をコンパクトにすることができる。
【００４７】
つまり、図３に示すようなリジッド基板２２の領域Ｓは、図示しないが、この領域Ｓ内にアンテナを配置する場合には、この不図示のアンテナを基準電位パターン３２から離して配置する必要があるため、領域Ｓを小さくすることができなかったが、本実施の形態に係る折畳み型携帯電話機２では、リジッド基板２２の基準電位パターン３２から離れた位置にある、ケース体２４の非導電部４０の非導電平板部４６の内側の面４６ｂにアンテナ５０を形成したので、リジッド基板２２上の領域Ｓを小さくして、リジッド基板２２をコンパクトにすることができ、ひいては折畳み型携帯電話機２全体をコンパクトにすることができる。
【００４８】
また、本実施の形態に係る折畳み型携帯電話機２によれば、図３に示す領域Ｓ内に、アンテナ５０の拡幅部５０ａに当接する端子３４を設けたので、ケース体２４をリジッド基板２２に取付けるだけで、アンテナ５０をリジッド基板２２の電気回路に回路接続することができる。
【００４９】
また、アンテナ整合回路部３６は、リジッド基板２２における第２面２２ｂの、端子３４に対応する位置に設けられているので、リジッド基板２２の厚さ方向に導通する不図示のスルーホールを介することにより、互いを接続する回路構成を簡単にすること（例えば、回路構成に要する面積を狭くすること等）ができる。また、アンテナ整合回路部３６及びアンテナ５０に関連する他の不図示の電子部品を、領域Ｓ内に合理的に集中して配置することができ、リジッド基板２２をコンパクト化することができる。
【００５０】
また、本実施の形態に係る折畳み型携帯電話機２は、図２に示すように、導電部３８における導電平板部４２の面４２ａと、非導電部４０における非導電平板部４６の面４６ａとが、同一平面内で互いに隣合うよう形成されていると共に、導電リブ４４と非導電リブ４８が同じ高さで形成されているので、リジッド基板２２との間で伝わる荷重に対し、導電部３８と非導電部４０の強度を、同じ高さの導電リブ４４と非導電リブ４８で突っぱることにより、ほぼ同等にすることができる。
【００５１】
すなわち、導電部３８における導電平板部４２の面４２ａ上には、キーシート３０のキートップ８０、及びこのキートップ８０に対応するキーＦＰＣ２８のスイッチ８４が配置されており（図２参照）、折畳み型携帯電話機２の使用時においてこのキートップ８０が手の指等で押下されるときの荷重を、導電部３８は一定の強度を有して受けることができるようになっているのに対し、非導電部４０も、導電部３８と同等の強度を有し、手の指等で押下するときの荷重を受けることができるようになっているため、この非導電部４０における非導電平板部４６の面４６ａ上にも、キーシート３０のキートップ８０、及びこのキートップ８０に対応するキーＦＰＣ２８のスイッチ８４を配置することができ、限られたスペースで内蔵型のアンテナ５０に影響なくキーを広く配することができる。
【００５２】
また、キーＦＰＣ２８を、導電部３８における導電平板部４２の面４２ａと、非導電部４０における非導電平板部４６の面４６ａの上に配置するようにしたので、第２筐体８内に、導電部３８及び非導電部４０以外のキーＦＰＣ２８を支持するための構造を設けずに済ませることができる。
【００５３】
また、導電部３８と非導電部４０は別部材であるため、導電部３８の芯部材が非導電部４０と同様に非導電性であるとしても、この導電部３８と非導電部４０の各々に、互いに特性の異なる材質の部材を用いることができる。
【００５４】
また、導電部３８と非導電部４０を互いに係合させ、ケース体２４として第２筐体８内に収納するまでは、導電部３８と非導電部４０のそれぞれの製造工程を互いに独立させておくことができるので、互いの製造工程を設計したり変更したりする際の自由度を高くすることができる。
【００５５】
次に、図１ないし図３、図５及び図６に基づいて本発明の第２の実施の形態に係る折畳み型携帯電話機６０（無線通信端末に相当）について説明する。これらの図に示す折畳み型携帯電話機６０は、前記第１の実施の形態に係る折畳み型携帯電話機２と同様の部分には同じ符号を付して説明するものとする。
【００５６】
本実施の形態に係る折畳み型携帯電話機６０は、図１に示すように、前記第１の実施の形態に係る折畳み型携帯電話機２と同様に、第１筐体６と第２筐体８とを備えており、第２筐体８の上側ケース１８と下側ケース２０の間の空間には、図２に示すように、やはり前記第１の実施の形態に係る折畳み型携帯電話機２と同様のリジッド基板２２、キーＦＰＣ２８、及びキーシート３０が収納されている。
【００５７】
そして、本実施の形態に係る折畳み型携帯電話機６０では、前記第１の実施の形態に係る折畳み型携帯電話機２のケース体２４の代わりに、図５に示すようなケース体６２を備えている。このケース体６２は、導電部３８と非導電部６４を備えて構成されている。非導電部６４はアンテナ６６を有しており、このアンテナ６６は、非導電平板部４６の内側の面４６ｂと、この面４６ｂと９０°で交差し、互いに隣合って連続する非導電リブ４８の内側の面の両方にわたって形成されている。
【００５８】
すなわち、非導電部６４のアンテナ６６は、図６に示すように、その唯一の拡幅部６６ａが、非導電平板部４６の内側の面４６ｂ上に配置されており、この拡幅部６６ａから伸びる長さ部分が、面４６ｂと９０°で交差し、互いに隣合って連続する非導電リブ４８の内側の面に形成されている。
【００５９】
このような本実施の形態に係る折畳み型携帯電話機６０によれば、前記第１の実施の形態と同様に、リジッド基板２２の基準電位パターン３２から離れた位置にある、ケース体６２の非導電部６４の非導電平板部４６及び非導電リブ４８に、アンテナ６６を形成したので、リジッド基板２２上の領域Ｓ（図３参照）を小さくして、リジッド基板２２をコンパクトにすることができ、ひいては折畳み型携帯電話機６０全体をコンパクトにすることができる。
【００６０】
また、アンテナ６６は、図６に示すように、その非導電リブ４８の内側の面上の長さ部分が、面４６ｂと平行方向に伸びるように形成されていたが、アンテナ６６は、このような形状に制限されずに、三次元的（立体的）に様々な形状に形成することができるため、要求されるアンテナ特性に応じてアンテナ６６をどのような形状にするかについて、その選択の余地又は開発の余地を大きく広げることができる。
【００６１】
また、本実施の形態に係る折畳み型携帯電話機６０によれば、前記第１の実施の形態と同様に、図３に示す領域Ｓ内に、アンテナ６６の拡幅部６６ａに当接する端子３４を設けたので、ケース体６２をリジッド基板２２に取付けるだけで、アンテナ６６をリジッド基板２２の電気回路に回路接続することができる。
【００６２】
また、前記第１の実施の形態と同様に、アンテナ整合回路部３６は、リジッド基板２２における第２面２２ｂの、端子３４に対応する位置に設けられているので、リジッド基板２２の厚さ方向に導通する不図示のスルーホールを介することにより、互いを接続する回路構成を簡単にすることができる。すなわち、アンテナ６６とアンテナ整合回路部３６との間の接続に要する面積を０に近付けている。また、アンテナ整合回路部３６及びアンテナ６６に関連する他の不図示の電子部品を、領域Ｓ内に合理的に集中して配置することができ、リジッド基板２２をコンパクト化することができる。
【００６３】
また、本実施の形態に係る折畳み型携帯電話機６０は、図２に示すように、前記第１の実施の形態と同様に、導電部３８における導電平板部４２の面４２ａと、非導電部６４における非導電平板部４６の面４６ａとが、同一平面内で互いに隣合うよう形成されていると共に、導電リブ４４と非導電リブ４８が同じ高さで形成されているので、リジッド基板２２との間で伝わる荷重に対し、導電部３８と非導電部４０の強度をほぼ同等にすることができる。
【００６４】
また、前記第１の実施の形態と同様に、キーＦＰＣ２８を、導電部３８における導電平板部４２の面４２ａと、非導電部６４における非導電平板部４６の面４６ａの上に配置するようにしたので、第２筐体８内に、導電部３８及び非導電部６４以外のキーＦＰＣ２８を支持するための構造を設けずに済ませることができる。
【００６５】
また、前記第１の実施の形態と同様に、導電部３８と非導電部６４は別部材であるため、導電部３８の芯部材が非導電部６４と同様に非導電性であるとしても、この導電部３８と非導電部６４の各々に、互いに特性の異なる材質の部材を用いることができる。
【００６６】
また、本実施の形態に係る折畳み型携帯電話機６０は、図６に示すように、アンテナ６６が、非導電平板部４６の内側の面４６ｂと、この面４６ｂと９０°交差して互いに隣合って連続する非導電リブ４８の内側の面の両方にわたって３次元的に形成されているので、アンテナ６６の指向性等の特性を、例えば、平面的に形成したアンテナと比べて異なるものにすることができる。
【００６７】
次に、図１、図３、図７及び図８に基づいて本発明の第３の実施の形態に係る折畳み型携帯電話機９０（無線通信端末に相当）について説明する。
【００６８】
本実施の形態に係る折畳み型携帯電話機９０は、図１に示すように、前記第１の実施の形態に係る折畳み型携帯電話機２と同様に、第１筐体６と第２筐体８とを備えており、第２筐体８の上側ケース１８と下側ケース２０の間の空間には、図７に示すように、やはり前記第１の実施の形態に係る折畳み型携帯電話機２と同様のリジッド基板２２、キーＦＰＣ２８、及びキーシート３０が収納されている。
【００６９】
そして、本実施の形態に係る折畳み型携帯電話機９０では、前記第１の実施の形態に係る折畳み型携帯電話機２のケース体２４の代わりに、図７及び図８に示すようなケース体９２を備えている。このケース体９２は、その平面形状におけるヒンジ４側の一方の隅部の非導電部９６（図８中、寸法Ｌｃ及び寸法Ｗｃで示す部分）と、この非導電部９６を除く導電部９４とで構成されており、導電部９４と非導電部９６は一体構造になっている。
【００７０】
導電部９４は、前記第１の実施の形態に係る折畳み型携帯電話機２の導電部３８と同様に、導電平板部９８と、この導電平板部９８に立設される導電リブ１００を有している。また、非導電部９６は、非導電平板部１０２と、この導電平板部９２に立設される非導電リブ１０４を有している。そして、導電平板部９８と非導電平板部１０２とは、一応異なる名称を付してはあるが、実体としては両者は同一部材が一体的に連続したものとして形成されている。
【００７１】
図７に示すように、非導電部９６における非導電平板部１０２の上側ケース１８側の面１０２ａは、前記第１の実施の形態に係る折畳み型携帯電話機２の非導電平板部４６の面４６ａ（図２参照）と同様に、導電部９４における導電平板部９８の上側ケース１８側の面９８ａと、同一平面内で互いに隣合うようになっている。
【００７２】
非導電部９６の非導電リブ１０４は、図８に示すように、前記第１の実施の形態に係る折畳み型携帯電話機２の非導電リブ４８（図４参照）とは異なる平面形状を有しているが、図７に示すように、導電部９４の導電リブ１００と同じ高さで形成されている。
【００７３】
また、ケース体９２は、その芯部材が非導電性であり、導電部９４は、この芯部材中の導電部９４に該当する部分の表面上に、蒸着法等による金属質の導電層が形成されることにより構成されている。
【００７４】
また、非導電部９６は、図８に示すように、非導電平板部１０２の内側の面１０２ｂ上に形成されるアンテナ１０６を有している。このアンテナ１０６は、唯一の拡幅部１０６ａを有しており、この拡幅部１０６ａから伸びる長さ部分が、交互に折れ曲がって矩形波状に形成されている。
【００７５】
アンテナ１０６は、ケース体９２の芯部材がむき出しの非導電部９６に該当する部分の内側の面上に形成された金属質の導電層であり、導電部９４の導電層と同様に、蒸着法又はメッキ等により形成することができるので、導電部９４の導電層と同時に形成してもよい。
【００７６】
例えば、アンテナ１０６と導電部９４を形成する前のケース体９２の芯部材に対し、非導電部９６に該当する部分に、アンテナ１０６を形成する部分を除いてマスキングしてから、芯部材の表面全体に蒸着法又はメッキ等により導電層を形成し、マスキングを除去すれば、アンテナ１０６と導電部９４の導電層と同時に形成することができる。
【００７７】
このような本実施の形態に係る折畳み型携帯電話機９０によれば、前記第１及び第２の実施の形態と同様に、リジッド基板２２の基準電位パターン３２から離れた位置にある、ケース体９２の非導電部９６の非導電平板部１０２に、アンテナ１０６を形成したので、リジッド基板２２上の領域Ｓ（図３参照）を小さくして、リジッド基板２２をコンパクトにすることができ、ひいては折畳み型携帯電話機２全体をコンパクトにすることができる。
【００７８】
また、本実施の形態に係る折畳み型携帯電話機９０によれば、前記第１及び第２の実施の形態と同様に、図３に示す領域Ｓ内に、アンテナ１０６の拡幅部１０６ａに当接する端子３４を設けたので、ケース体２４をリジッド基板２２に取付けるだけで、アンテナ６６をリジッド基板２２の電気回路に回路接続することができる。
【００７９】
また、前記第１及び第２の実施の形態と同様に、アンテナ整合回路部３６は、リジッド基板２２における第２面２２ｂの、端子３４に対応する位置に設けられているので、リジッド基板２２の厚さ方向に導通する不図示のスルーホールを介することにより、互いを接続する回路構成を簡単にすることができる。また、アンテナ整合回路部３６及びアンテナ１０６に関連する他の不図示の電子部品を、領域Ｓ内に合理的に集中して配置することができ、リジッド基板２２をコンパクト化することができる。
【００８０】
また、本実施の形態に係る折畳み型携帯電話機９０は、図７に示すように、導電部９４における導電平板部９８の面９８ａと、非導電部９６における非導電平板部１０２の面１０２ａとが、同じ１枚の板で連続して一体的に形成されていると共に、導電リブ１００と非導電リブ１０４が同じ高さで形成されているので、リジッド基板２２との間で伝わる荷重に対し、導電部９４と非導電部９６の強度を同一にすることができる。
【００８１】
また、キーＦＰＣ２８を、導電部９４における導電平板部９８の面９８ａと、非導電部９６における非導電平板部１０２の面１０２ａの、連続した同一面上に配置するようにしたので、第２筐体８内に、導電部９４及び非導電部９６以外のキーＦＰＣ２８を支持するための構造を設けずに済ませることができる。
【００８２】
また、導電部９４と非導電部９６は一体構造であるため、折畳み型携帯電話機９０の組立て作業を簡単にすることができると共に、アンテナ１０６と導電部９４の導電層とを同時に形成することができる。
【００８３】
なお、前記第１の実施の形態に係る折畳み型携帯電話機２において、リジッド基板２２上の領域Ｓは、このリジッド基板２２におけるヒンジ４側の一方の隅部に配置されると共に、非導電部４０は、ケース体２４におけるヒンジ４側の一方の隅部に設けられていたが、リジッド基板２２上における領域Ｓの位置、及びケース体２４における非導電部４０の位置は、このようなものに制限されない。前記第２及び第３の実施の形態においても同様である。
【００８４】
また、前記第１及び第２の実施の形態に係る折畳み型携帯電話機２，６０において、導電部３８は、非導電性の芯部材が用いられ、この芯部材の表面に導電層が形成される構成になっていたが、この導電部３８は、金属板を用いて作成し、表面に導電層を形成しないようになっていてもよい。
【００８５】
また、前記第２の実施の形態に係る折畳み型携帯電話機６０において、アンテナ６６は、その拡幅部６６ａから伸びる長さ部分が、非導電平板部４６の内側の面４６ｂ、及びこの面４６ｂと互いに隣合って連続する非導電リブ４８の内側の面の両方にわたって形成されていたが、アンテナ６６の長さ部分が、非導電平板部４６の内側の面４６ｂ、及び非導電リブ４８の内側の面から、非導電リブ４８の高さ方向の先端面を通って、非導電リブ４８の外側の面や、非導電平板部４６の外側の面４６ａまで伸びるように形成されていてもよい。前記第３の実施の形態においても同様である。
【００８６】
また、前記第１の実施の形態に係る折畳み型携帯電話機２では、非導電部４０における非導電平板部４６の内側の面４６ａにアンテナ５０が形成されていたが、このアンテナ５０の代わりに、非導電平板部４６の内側の面４６ｂ、及びこの面４６ｂと互いに隣合って連続する非導電リブ４８の内側の面、並びにこの非導電リブ４８の高さ方向の先端面にわたって長さを有するようなアンテナが形成されていてもよい。このような場合には、図３に示すリジッド基板２２上の端子３４は、領域Ｓ内において、非導電リブ４８の高さ方向の先端面でアンテナに当接するような位置に配置することができるので、この端子３４を小さくすることができる。前記第２及び第３の実施の形態においても同様である。
【００８７】
また、前記第１ないし第３の形態では、折畳み型携帯電話機２，６０，９０に本発明を適用した場合について説明したが、折畳み型携帯電話機２，６０，９０以外の携帯電話機、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置のような、他の無線通信端末についても本発明を適用することができることはいうまでもない。
【図面の簡単な説明】
【００８８】
【図１】本発明の第１ないし第３の実施の形態に係る折畳み型携帯電話機２，６０，９０を示す斜視図である。
【図２】本発明の第１及び第２の実施の形態に係る折畳み型携帯電話機２，６０の、図１に示す第２筐体８の上側ケース１８及び下側ケース２０、並びにこの第２筐体８内に収納されるリジッド基板２２、ケース体２４，６２、キーＦＰＣ２８、及びキーシート３０の組立て前の状態を示す分解側面図である。
【図３】図２に示すリジッド基板２２のＡ−Ａ線矢視図である。
【図４】図２に示すケース体２４のＢ−Ｂ線矢視図である。
【図５】本発明の第２の実施の形態に係る折畳み型携帯電話機６０のケース体６２の図２におけるＢ−Ｂ線矢視図である。
【図６】図５に示すケース体６２の非導電部６４の拡大斜視図である。
【図７】本発明の第３の実施の形態に係る折畳み型携帯電話機９０の、図１に示す第２筐体８の上側ケース１８及び下側ケース２０、並びにこの第２筐体８内に収納されるリジッド基板２２、ケース体９２、キーＦＰＣ２８、及びキーシート３０の組立て前の状態を示す分解側面図である。
【図８】図７に示すケース体９２のＣ−Ｃ線矢視図である。
【符号の説明】
【００８９】
２  折畳み型携帯電話機
４  ヒンジ
６  第１筐体
８  第２筐体
１０  表示部
１２  スピーカー
１４  操作部
１６  マイクロホン
１８  上側ケース
２０  下側アケース
２２  リジッド基板
２２ａ  第１面
２２ｂ  第２面
２４  ケース体
２８  キーＦＰＣ
２８ａ  第１面
２８ｂ  第２面
３０  キーシート
３２  基準電位パターン
３４  端子
３６  アンテナ整合回路部
３８  導電部
４０  非導電部
４２  導電平板部
４２ａ  面
４４  導電リブ
４４ａ  係合部
４６  非導電平板部
４６ａ，４６ｂ  面
４８  非導電リブ
４８ａ  被係合部
５０  アンテナ
５０ａ  拡幅部
６０  折畳み型携帯電話機
６２  ケース体
６４  非導電部
６６  アンテナ
６６ａ  拡幅部
７８  シート
８０  キートップ
８１  操作面
８２  キー孔
８４  キースイッチ
８６  メタルドーム
９０  折畳み型携帯電話機
９２  ケース体
９４  導電部
９６  非導電部
９８  導電平板部
９８ａ  面
１００  導電リブ
１０２  非導電平板部
１０２ａ  面
１０４  非導電リブ
１０６  アンテナ
１０６ａ  拡幅部
【図１】
2007124307.tif 000003
【図２】
2007124307.tif 000004
【図３】
2007124307.tif 000005
【図４】
2007124307.tif 000006
【図５】
2007124307.tif 000007
【図６】
2007124307.tif 000008
【図７】
2007124307.tif 000009
【図８】
2007124307.tif 000010